(57)【特許請求の範囲】
【請求項１】
基礎の上面に建物の下部構造材を支持する基礎構造において、
建物の外周に沿う外周基礎の上面に基礎パッキンを設け、該基礎パッキンの上面に建物の下部構造材を載置するとともに、
外周基礎に囲まれる内部に設置される内部基礎の上面の高さを上記外周基礎の上の基礎パッキンの上面の高さと概略一致させ、該内部基礎の上面に建物の下部構造材を載置してなることを特徴とする基礎構造。
【請求項２】
前記内部基礎が外周基礎に囲まれる内部を複数の区画に仕切るとき、それらの区画を連通する通口が該内部基礎に設けられてなる請求項１に記載の基礎構造。
【請求項３】
前記建物がユニット建物であり、相隣る建物ユニットが内部基礎の上面に載置されるとき、内部基礎の上面が外周基礎の上面より幅広にされてなる請求項１又は２に記載の基礎構造。
【発明の詳細な説明】
【技術分野】
【０００１】
本発明は基礎パッキンを用いた基礎構造に関する。
【背景技術】
【０００２】
基礎構造として、特許文献１に記載の如く、建物の基礎の上面に基礎パッキンを設け、該基礎パッキンの上面に建物の床パネル、土台等の下部構造材を載置し、基礎に植設してあるアンカーボルトを上記基礎パッキン及び下部構造材に挿通し、このアンカーボルトにナットを緊結することにより、基礎と下部構造材との間に基礎パッキンを挟持した状態で固定するものである。
【０００３】
従来の基礎構造にあっては、基礎パッキンが備える通気孔により、建物の床下換気性を向上できる。
【先行技術文献】
【特許文献】
【０００４】
【特許文献１】特許4589502
【発明の概要】
【発明が解決しようとする課題】
【０００５】
しかしながら、特許文献１に記載の基礎構造では、建物の外周に沿う外周基礎の上面に基礎パッキンを設けるともに、外周基礎に囲まれる内部に設置される内部基礎の上面にも基礎パッキンを設けている。
従って、建物の基礎全体に用いる基礎パッキンが大量になり、コスト高になる。
【０００６】
また、建物の下部構造材が基礎に対しアンカーボルトにより固定される位置が、基礎の上面から基礎パッキンの厚みだけ高位になる。これにより、アンカーボルトは基礎パッキンの厚み分だけ長くなり、建物の下部構造材が及ぼす剪断力に対して不利になる。
【０００７】
本発明の課題は、基礎構造のコスト低減を図るとともに、強度向上を図ることにある。
【課題を解決するための手段】
【０００８】
請求項１に係る発明は、基礎の上面に建物の下部構造材を支持する基礎構造において、建物の外周に沿う外周基礎の上面に基礎パッキンを設け、該基礎パッキンの上面に建物の下部構造材を載置するとともに、外周基礎に囲まれる内部に設置される内部基礎の上面の高さを上記外周基礎の上の基礎パッキンの上面の高さと概略一致させ、該内部基礎の上面に建物の下部構造材を載置してなるようにしたものである。
【０００９】
請求項２に係る発明は、請求項１に係る発明において更に、前記内部基礎が外周基礎に囲まれる内部を複数の区画に仕切るとき、それらの区画を連通する通口が該内部基礎に設けられてなるようにしたものである。
【００１０】
請求項３に係る発明は、請求項１又は２に係る発明において更に、前記建物がユニット建物であり、相隣る建物ユニットが内部基礎の上面に載置されるとき、内部基礎の上面が外周基礎の上面より幅広にされてなるようにしたものである。
【発明の効果】
【００１１】
（請求項１）
(a)外周基礎に囲まれる内部に設置される内部基礎の上面の高さを外周基礎の上の基礎パッキンの上面の高さと概略一致させるようにふかし（膨らませる如くに高くし）、該内部基礎の上面に建物の下部構造材を載置する。
【００１２】
これにより、基礎パッキンは外周基礎にだけ設けられ、内部基礎には設けられない。建物の基礎全体に用いる基礎パッキンを減量するものになり、コスト低減できる。
【００１３】
建物の下部構造材が内部基礎に対しアンカーボルトにより固定される位置は、内部基礎の直上とされ、基礎パッキンを用いない分だけ低位になる。これにより、アンカーボルトは基礎パッキンを用いない分だけ短くなり、建物の下部構造材が及ぼす剪断力に対して有利になる。
【００１４】
内部基礎の上面が上述の如くにふかされた分だけ、内部基礎の断面強度を補強するものになる。
【００１５】
（請求項２）
(b)内部基礎に設けた通口は、床下作業に供されるだけでなく、通気孔付きの基礎パッキンが内部基礎に設けられない場合にも、内部基礎が仕切った区画の間での風通しを良くし、建物の床下換気性を向上する。
【００１６】
（請求項３）
(c)相隣る建物ユニットが載置される内部基礎の上面は外周基礎の上面より幅広になる。幅広の内部基礎に対する幅広の基礎パッキンを不用にしたから、一層コスト低減できる。また、幅広の内部基礎の上面をふかしたから、内部基礎の断面強度を一層向上するものになる。
【図面の簡単な説明】
【００１７】
【図１】図１は建物の基礎を示す平面図である。
【図２】図２は図１のII−II線に沿う断面図である。
【図３】図３は図１のIII−III線に沿う断面図である。
【図４】図４は基礎パッキンを示し、（Ａ）は平面図、（Ｂ）は拡大側面図である。
【発明を実施するための形態】
【００１８】
図１に示した基礎１０は、図２、図３に示す如く、ユニット建物１００の下部構造材を支持する。
【００１９】
ユニット建物１００は、複数の建物ユニット１１０を図１に示す如くに基礎１０の上に隣接設置して構築される。各建物ユニット１１０は、例えば木質建物ユニットであり、図２、図３に示す如く、床パネル１１１の外縁に壁パネル１１２を立設して構成され、床パネル１１１の下面の外周に土台１１３を設けている。
【００２０】
基礎１０は、図１に示す如く、ユニット建物１００の外周に沿う外周基礎１１と、外周基礎１１に囲まれる内部に設置される内部基礎１２とからなる。内部基礎１２は、外周基礎１１に囲まれる内部を複数の区画１３Ａ、１３Ｂに仕切り、それらの区画１３Ａ、１３Ｂを連通する通口１４が長手方向の１ヵ所又は複数ヵ所に設けられている。外周基礎１１、内部基礎１２はそれらの長手方向複数位置に植設されたアンカーボルト１０Ａがそれらの上面から突き出ている。
【００２１】
外周基礎１１の上面にはユニット建物１００の外周に位置する建物ユニット１１０の下部構造材としての土台１１３が載置される。内部基礎１２の上面には相隣る２個の建物ユニット１１０の下部構造材としての土台１１３が隣り合わせに載置される。内部基礎１２の上面は、２個の建物ユニット１１０の土台１１３を隣り合わせで載置可能にする分、唯１個の建物ユニット１１０の土台１１３を載置可能にする外周基礎１１の上面より幅広にされている。
【００２２】
しかるに、ユニット建物１００の外周に沿う外周基礎１１の上面には長尺基礎パッキン２０が連続状に設けられ、該基礎パッキン２０の上面に上述した各建物ユニット１１０の土台１１３が載置される。
【００２３】
また、外周基礎１１に囲まれる内部に設置されている内部基礎１２の上面の高さＨ2（地盤面を基準面とした高さ）（図３）は、上記外周基礎１１の上の基礎パッキン２０の上面の高さＨ1（地盤面を基準面とした高さ）（図２）と概略一致されるようにふかされている（膨らませる如くに高くされている）。そして、この内部基礎１２の上面に上述した相隣る建物ユニット１１０の土台１１３が隣り合わせに直に載置される。ここで、内部基礎１２の上面と、外周基礎１１の上の基礎パッキン２０の上面の高さが概略一致とは、建物ユニット１１０の下部構造材、本実施例では土台１１３の下面における接合金物等による突部を吸収できる範囲の寸法差はあっても良いことを意味し、具体的には5mm以内の寸法差があっても良いことを意味する。
【００２４】
尚、基礎パッキン２０は、図４に示す如く、例えば特開2003-301532、特開2005-330798等に記載のものを採用できる。即ち、基礎パッキン２０は、通常、厚さが10〜30mm、幅が70〜200mmである。長さは、500〜2000mm程度と長尺で、これを直列に連結し、また、場合によっては、適当に切断して使用される。材質は、剛性〜多少弾性を持ったもの、例えば、合成樹脂、ゴム、金属、セラミック等が使用可能である。
【００２５】
基礎パッキン２０には、幅方向に抜ける多数の通気孔２１が形成されている。更に、各通気孔２１は、上下いずれかの壁面に開放部２２が形成されている。また、基礎パッキン２０には、その平面中央部にアンカーボルト１０Ａが通るための四角形の孔２３が、全長に渡って連続的に形成されている。このように、外周基礎１１と土台１１３との間に介装された基礎パッキン２０には多数の通気孔２１が形成されているから、この孔を通って空気の流通が可能であり、床下換気を図ることができる。更に、通気孔２１の上面又は下面のいずれかが開放形状になっているので、通気性に富み、かつ外周基礎１１や土台１１３の接触面を乾燥させることができる。
【００２６】
従って、本実施例にあっては、外周基礎１１の上面に基礎パッキン２０が設けられる。そして、外周基礎１１の上面に設けた基礎パッキン２０の上面と、内部基礎１２の上面に、建物ユニット１１０のアンカーボルト通し孔を穿った土台１１３が載置される。基礎パッキン２０、土台１１３に挿通された外周基礎１１の各アンカーボルト１０Ａと、基礎パッキン２０を介さずに土台１１３に挿通された内部基礎１２の各アンカーボルト１０Ａのそれぞれの先端にナットを緊結することにより、外周基礎１１及び基礎パッキン２０と土台１１３とが固定されるとともに、内部基礎１２と土台１１３とが固定される。
【００２７】
本実施例によれば、以下の作用効果を奏する。
(a)外周基礎１１に囲まれる内部に設置される内部基礎１２の上面の高さを外周基礎１１の上の基礎パッキン２０の上面の高さと概略一致させるようにふかし（膨らませる如くに高くし）、該内部基礎１２の上面に建物ユニット１１０の土台１１３を載置する。
【００２８】
これにより、基礎パッキン２０は外周基礎１１にだけ設けられ、内部基礎１２には設けられない。ユニット建物１００の基礎１０全体に用いる基礎パッキン２０を減量するものになり、コスト低減できる。
【００２９】
建物ユニット１１０の土台１１３が内部基礎１２に対しアンカーボルト１０Ａにより固定される位置は、内部基礎１２の直上とされ、基礎パッキン２０を用いない分だけ低位になる。これにより、アンカーボルト１０Ａは基礎パッキン２０を用いない分だけ短くなり、建物ユニット１１０の土台１１３が及ぼす剪断力に対して有利になる。
【００３０】
内部基礎１２の上面が上述の如くにふかされた分だけ、内部基礎１２の断面強度を補強するものになる。
【００３１】
(b)内部基礎１２に設けた通口１４は、床下作業に供されるだけでなく、通気孔２１付きの基礎パッキン２０が内部基礎１２に設けられない場合にも、内部基礎１２が仕切った区画１３Ａ、１３Ｂの間での風通しを良くし、ユニット建物１００の床下換気性を向上する。
【００３２】
(c)相隣る建物ユニット１１０が載置される内部基礎１２の上面は外周基礎１１の上面より幅広になる。幅広の内部基礎１２に対する幅広の基礎パッキン２０を不用にしたから、一層コスト低減できる。また、幅広の内部基礎１２の上面をふかしたから、内部基礎１２の断面強度を一層向上するものになる。
【００３３】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明はユニット建物１００の建物ユニット１１０として、鉄骨建物ユニットを採用することもできる。また、本発明はユニット建物１００に限らず、一般の建物にも適用できる。
【産業上の利用可能性】
【００３４】
本発明によれば、基礎構造のコスト低減を図るとともに、強度向上を図ることができる。
【符号の説明】
【００３５】
１０  基礎
１０Ａ  アンカーボルト
１１  外周基礎
１２  内部基礎
１３Ａ、１３Ｂ  区画
１４  通口
２０  基礎パッキン
１００  ユニット建物
１１０  建物ユニット
１１３  土台（下部構造材）
【図１】
0005702684.tif 000002
【図２】
0005702684.tif 000003
【図３】
0005702684.tif 000004
【図４】
0005702684.tif 000005